(57)【要約】【課題】コンパクトな構成ながら、透光部材を通過する出射光の配光を制御できる照明装置及びそれを用いたショーケースを提供する。【解決手段】カバー部材１３における光源１２からの光が入射する面を複数の領域から形成し、領域の一つにプリズムパターン１３ｃを形成することで、より広範囲を照明したり、任意の方向を照明するなど、配光制御の自由度を向上させたコンパクトな照明装置を実現できる。【選択図】図１
2014099343.tif 000002
【特許請求の範囲】
【請求項１】
光源と、内部に前記光源を保持するとともに、前記光源から出射された光を外部に向かって出射する開口部を備えたフレームと、前記開口部を覆うように配置される透光部材とを有し、ショーケースの棚板先端部または、先端下部に配置される照明装置であって、
前記透光部材は、前記光源からの光が入射する面を複数の領域から形成しており、前記領域の一つにプリズムパターンを形成したことを特徴とする照明装置。
【請求項２】
前記複数の領域は、前記ショーケースの棚板に対して前方側の領域と、下方側の領域とを含み、前記前方側の領域に第１のプリズムパターンを形成し、前記下方側の領域に、前記第１のプリズムパターンとは異なる形状の第２のプリズムパターンを形成したことを特徴とする請求項１に記載の照明装置。
【請求項３】
前記第１のプリズムパターンと、前記第２のプリズムパターンとは、断面形状が異なっていることを特徴とする請求項２に記載の照明装置。
【請求項４】
前記第１のプリズムパターンと、前記第２のプリズムパターンとは、延在方向が異なっていることを特徴とする請求項２に記載の照明装置。
【請求項５】
前記複数の領域は、前記ショーケースの棚板に対して前方側の領域と、下方側の領域とを含み、前記前方側の領域と前記下方側の領域のうち片方の領域にのみプリズムパターンを形成したことを特徴とする請求項１に記載の照明装置。
【請求項６】
前記フレームは、前記棚板の長手方向に沿って延在しており、前記透光部材のプリズムパターンは、前記フレームの長手方向に直交する断面内で、傾きが周期的に変化する屈折面を持つことを特徴とする請求項１〜５のいずれかに記載の照明装置。
【請求項７】
前記光源は、ＬＥＤチップを含むことを特徴とする請求項１〜６のいずれかに記載の照明装置。
【請求項８】
前記ＬＥＤチップは、前記フレームに沿って離散的に配置されており、前記複数の領域の一つが、前記ショーケースの棚板に対して下方側の領域を含み、前記下方側の領域に設けられたプリズムパターンは、前記フレームの長手方向に沿って高さが周期的に変化する屈折面を有することを特徴とする請求項７に記載の照明装置。
【請求項９】
前記透光部材が拡散特性を有することを特徴とする請求項１〜８のいずれかに記載の照明装置。
【請求項１０】
前記フレーム内部に反射面を有しており、前記光源から出射した光の一部が、前記反射面に反射して，前記透光部材を介して外部へと出射されることを特徴とする請求項１〜９のいずれかに記載の照明装置。
【請求項１１】
前記反射面は、前記フレームと一体的に設けられていることを特徴とする請求項１０に記載の照明装置。
【請求項１２】
前記光源から、前記ショーケースの棚板に対して下方側に向かって光が出射するようになっており、前記反射面は、前記光源から遠ざかるにつれて前記ショーケースの棚板の前方側に近づくように傾いていることを特徴とする請求項１０又は１１に記載の照明装置。
【請求項１３】
前記フレームは、前記光源を取り付けた面に交差する方向に延在する配光面を有し、
前記配光面は、前記光源の中心を通る前記光源の取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向き、且つ前記第２面を延長した面が前記法線と交差するように前記第２面が延在しており、
前記光源から出射され前記第２面で反射した光は、前記光源の取り付け面に沿った方向に進行し前記透光部材を介して外部に出射することを特徴とする請求項１〜１２のいずれかに記載の照明装置。
【請求項１４】
請求項１〜１３のいずれかに記載の照明装置を、棚板先端部または、先端下部に配置したことを特徴とするショーケース。
【発明の詳細な説明】
【技術分野】
【０００１】
本発明は、照明装置及びショーケースに関し、特に、商品等を陳列する棚板の先端部又は先端下部に取り付けられて商品等を照明するのに好適な照明装置及びそれに用いるショーケースに関する。
【背景技術】
【０００２】
一般的なコンビニエンスストアやスーパーマーケット等において、屋内照明のほかに、ショーケースの陳列棚に照明が設けられ、買い物客が陳列された商品を目で確認しやすくし、それにより購買意欲を高めるようにしている。このようなショーケースの照明装置の光源としては、直管の蛍光灯が広く用いられている。
【０００３】
しかるに、蛍光灯は、一般に電気エネルギーを可視放射、赤外放射、紫外放射に変換し、可視光線を放射することで照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。
【０００４】
これに対し、近年、発光効率の向上や発光量の増加と共に、寿命が長く消費電力が小さくて、環境にやさしいとされるＬＥＤ（Light Emitting Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップからなる三原色のＬＥＤチップを用いて白色光を合成する白色ＬＥＤ光源が開発され、既に市販されている。そのため、この白色ＬＥＤ光源を配設したＬＥＤ照明装置の開発も盛んではあるが、特に、ショーケースなどの陳列棚の照明装置として、消費電力が小さく、発熱も小さいＬＥＤ光源を用いて、省エネと商品保護とを図る技術が模索されている。
【０００５】
ところで、特許文献１には、発光ダイオードなどの指向性の高い光を発光する半導体発光素子を用いても、簡単な構造で広い範囲を照明できる棚構造の照明装置が開示されている。かかる照明装置は、棚板のフロント側の端部の下面に取り付け可能なフレーム本体と、このフレーム本体内に取り付けられ、発光素子列を有する基板と、この発光素子列からの光を反射するための反射部材（配向部材）と、前記フレーム本体に装着され、発光素子列をカバーし、透光部を有するカバー部材とを備えている。発光素子列からの光は、反射部材（配向部材）により少なくとも透光部に向けられる。そのため、広い範囲を照明でき、商品価値を高めることができるというものである。
【先行技術文献】
【特許文献】
【０００６】
【特許文献１】特開2011-155019号公報
【発明の概要】
【発明が解決しようとする課題】
【０００７】
しかしながら、特許文献１の照明装置は、以下に述べるような問題がある。かかる従来技術では、発光素子列から出射された光を反射する反射板の傾きにより配向制御しているものの、カバーは平板のために、反射板で決定される配光特性がそのまま照明装置の配光特性に反映されることになる。従って、照明装置を小型化、薄型化したときは、反射板の配置、形状が制限されるために、配光制御の自由度が小さくなってしまうという問題がある。
【０００８】
本発明は、上記の事情に鑑みてなされたものであって、コンパクトな構成ながら、透光部材を通過する出射光の配光を制御できる照明装置及びそれを用いたショーケースを提供することを目的とする。
【課題を解決するための手段】
【０００９】
請求項１に記載の照明装置は、光源と、内部に前記光源を保持するとともに、前記光源から出射された光を外部に向かって出射する開口部を備えたフレームと、前記開口部を覆うように配置される透光部材とを有し、ショーケースの棚板先端部または、先端下部に配置される照明装置であって、
前記透光部材は、前記光源からの光が入射する面を複数の領域から形成しており、前記領域の一つにプリズムパターンを形成したことを特徴とする。
【００１０】
従来技術のように透光部材が板状であると、透過する照明光の配光特性は、光源の配光特性とフレーム内部の構造による反射特性で決定されてしまい、配光の自由度が制限されてしまう。このように配光の自由度が制限されることに鑑みて、例えば陳列された商品の照明を重視しようとすると、棚板の前方側に取り付けるプライス札やアイキャッチャーなどの照明が不十分となる恐れがある。これに対し、プライス札やアイキャッチャーなどの照明を重視しようとすると、商品の照明が不十分となる恐れがある。そこで、本発明では、前記透光部材における前記光源からの光が入射する面を複数の領域から形成し、少なくとも前記領域の一つにプリズムパターンを形成することで、より広範囲を照明したり、任意の方向を照明するなど、配光制御の自由度を向上させたコンパクトな照明装置を実現できるのである。ここで、「プリズムパターン」とは、所定の方向に延在するとともに、その長手方向直交断面において、交差する方向に延在する２面を含む基礎形状（例えば三角断面形状）を周期的に繰り返してなる構造をいう。
【００１１】
請求項２に記載の照明装置は、請求項１に記載の発明において、前記複数の領域は、前記ショーケースの棚板に対して前方側の領域と、下方側の領域とを含み、前記前方側の領域に第１のプリズムパターンを形成し、前記下方側の領域に、前記第１のプリズムパターンとは異なる形状の第２のプリズムパターンを形成したことを特徴とする。
【００１２】
前記前方側の領域に設けられた前記第１のプリズムパターンを透過させることで、前記透光部材から出射した照明光を棚板の前方上方側に向けることができ、これにより棚板の先端等に取り付けたプライス札やアイキャッチャーなどの照明に適した配光制御を行うことができる。一方、前記下方側の領域に設けられた前記第２のプリズムパターンを透過させることで、前記透光部材から出射した照明光を棚板の奥側まで効率的に到達させることができ、これにより陳列された商品を照明するのに適した配光制御を行うことができる。このように配光制御の自由度が高まることで、買い物客の目を引くと同時に、商品を十分な光で照明できるから、その相乗効果で売り上げ増大が期待される。
【００１３】
請求項３に記載の照明装置は、請求項２に記載の発明において、前記第１のプリズムパターンと、前記第２のプリズムパターンとは、断面形状が異なっていることを特徴とする。
【００１４】
前記第１のプリズムパターンと、前記第２のプリズムパターンとが、断面形状が異なっていると、前記前方側の領域と前記下方側の領域とを通過する照明光において、前記透光部材から出射する際の出射角をそれぞれ任意に変更できるため、用途に応じた照明を行うことができる。
【００１５】
請求項４に記載の照明装置は、請求項２に記載の発明において、前記第１のプリズムパターンと、前記第２のプリズムパターンとは、延在方向が異なっていることを特徴とする。
【００１６】
前記第１のプリズムパターンと、前記第２のプリズムパターンとが、延在方向が異なっていると、前記前方側の領域と前記下方側の領域とを通過する照明光において、前記透光部材から出射する際の屈折方向を互いに異ならせることができるため、用途に応じた照明を行うことができる。
【００１７】
請求項５に記載の照明装置は、請求項１に記載の発明において、前記複数の領域は、前記ショーケースの棚板に対して前方側の領域と、下方側の領域とを含み、前記前方側の領域と前記下方側の領域のうち片方の領域にのみプリズムパターンを形成したことを特徴とする。
【００１８】
例えば、前記前方側の領域にプリズムパターンを形成し、前記下方側の領域は平板状とすると、前記プリズムパターンを透過した照明光によって、棚板の前方側に取り付けるプライス札やアイキャッチャーなどに適した照明を行うことができるとともに、下方の棚板に陳列された商品を明るく照明できる。一方、前記前方側の領域を平板状とするとともに、前記下方側の領域にプリズムパターンを設けると、前記前方側を明るく照明できるとともに、前記下方側の領域に設けられた前記プリズムパターンを透過した照明光によって、棚板の奥側まで効率的に照明できるから奥側に陳列された商品に適した照明を行うことができる。すなわち、プリズムパターンの有無により配光制御の自由度が高まる。
【００１９】
請求項６に記載の照明装置は、請求項１〜５のいずれかに記載の発明において、前記フレームは、前記棚板の長手方向に沿って延在しており、前記透光部材のプリズムパターンは、前記フレームの長手方向に直交する断面内で、傾きが周期的に変化する屈折面を持つことを特徴とする。
【００２０】
前記透光部材のプリズムパターンの屈折面を、前記棚板に沿って傾きが周期的に変化するような形状とすることで、長手方向直交する断面方向、すなわち、棚板の上、下、奥側（買い物客が棚板を観察する方向と商品を配置する方向）の照明光の配光特性を効率的にコントロールすることができる。
【００２１】
請求項７に記載の照明装置は、請求項１〜６のいずれかに記載の発明において、前記光源は、ＬＥＤチップを含むことを特徴とする。
【００２２】
前記光源がＬＥＤチップを含む場合、比較的指向性が強い照明光が出射されるから、プリズムパターンを透過させることにより、照明光の配光制御の自由度を向上することができる。但し、光源は、LEDチップを含むものだけでなく、蛍光管、LED線状光源（離散的なLEDチップの上に蛍光体が線状に連続的に塗布されたもの）でもよい。
【００２３】
請求項８に記載の照明装置は、請求項７に記載の発明において、前記ＬＥＤチップは、前記フレームに沿って離散的に配置されており、前記複数の領域の一つが、前記ショーケースの棚板に対して下方側の領域を含み、前記下方側の領域に設けられたプリズムパターンは、前記フレームの長手方向に沿って高さが周期的に変化する屈折面を有することを特徴とする。
【００２４】
前記フレームの長手方向に沿って、点光源である前記ＬＥＤチップを離散的に配置した場合、被照明領域で前記LEDの配列方向に照度ムラが発生したり、被照明物に多重の影（マルチシャドウ）が発生することがあるが、前記下方側の領域に設けられたプリズムパターンの屈折面の高さを、前記ＬＥＤチップの並び方向において周期的に変化させることで、被照明領域での照度分布をより均一化することができ、また、マルチシャドウの発生をおさえることができる。
【００２５】
請求項９に記載の照明装置は、請求項１〜８のいずれかに記載の発明において、前記透光部材が拡散特性を有することを特徴とする。
【００２６】
配光制御を前記透光部材に設けたプリズムパターンで行うと、グレア（ギラギラ感）が目立つ場合もあるが、前記透光部材が拡散特性も合わせもつことにより、配光制御を有効に行いながらも眩しさを抑えた照明装置を実現できる。このような透光部材としては、透光性を有する従来公知の樹脂拡散板（散乱剤を混入させたもの、表面凹凸により拡散させるもの）や樹脂拡散フィルムを用いることができる。
【００２７】
請求項１０に記載の照明装置は、請求項１〜９のいずれかに記載の発明において、前記フレーム内部に反射面を有しており、前記光源から出射した光の一部が、前記反射面に反射して，前記透光部材を介して外部へと出射されることを特徴とする。
【００２８】
前記光源から射出された光を直接、前記透光部材から射出する場合、前記照明装置の配光特性は、前記透光部材のプリズムパターンでしか制御できないが、前記光源から射出された光を前記反射部材で反射（偏向）すれば、その後前記透光部材で屈折させることと相まって、より広範囲の配光制御ができる
【００２９】
請求項１１に記載の照明装置は、請求項１０に記載の発明において、前記反射面は、前記フレームと一体的に設けられていることを特徴とする。
【００３０】
前記反射面を前記フレームと一体化することにより、シンプルな構成で、正確に照明光の偏向制御ができる。
【００３１】
請求項１２に記載の照明装置は、請求項１０又は１１に記載の発明において、前記光源から、前記ショーケースの棚板に対して下方側に向かって光が出射するようになっており、前記反射面は、前記光源から遠ざかるにつれて前記ショーケースの棚板の前方側に近づくように傾いていることを特徴とする。
【００３２】
ショーケースの棚照明において、下側に配置される棚上の商品を効率的に照明すると同時に、買い物客の目を引く機能（アイキャッチ効果）が重視される。特に、買い物客の目を引くためには、より広い範囲から棚板が視認される、すなわち、より広角に光を照射する必要がある。前記光源の出射面を、下方の棚の上面に向けて配置したとき、棚板の前方上側への照射光を確保するために、前記反射面を、前記光源から遠ざかるにつれて前記ショーケースの棚板の前方側に近づくように傾けることにより、前記光源から前記反射面に向かって射出された光を前方上側に反射させることができる。
【００３３】
請求項１３に記載の照明装置は、請求項１〜１２のいずれかに記載の発明において、前記フレームは、前記光源を取り付けた面に交差する方向に延在する配光面を有し、
前記配光面は、前記光源の中心を通る前記光源の取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向き、且つ前記第２面を延長した面が前記法線と交差するように前記第２面が延在しており、
前記光源から出射され前記第２面で反射した光は、前記光源の取り付け面に沿った方向に進行し前記透光部材を介して外部に出射することを特徴とする。
【００３４】
本発明によれば、前記配光面は、前記光源の中心を通る前記光源取り付け面の法線に沿って前記光源から遠ざかるにつれて、前記法線から離れる側にそれぞれ傾斜した複数の第１傾斜面と、隣接する前記第１傾斜面の間に形成された第２面とを備えており、前記第２面は前記光源側を向いているので、光源に近い側の前記第１傾斜面を１Ａ傾斜面とし、光源から遠い側の前記第１傾斜面を１Ｂ傾斜面としたときに、１Ａ傾斜面を光源から遠ざかる方向に延長した場合において、その延長面よりも１Ｂ傾斜面は、前記法線に近い側にシフトしていることとなり、これにより配光面の裏面側のスペースを確保できる。更に、１Ｂ傾斜面を光源に近づく方向に延長した場合において、その延長面よりも１Ａ傾斜面は、前記法線から遠い側にシフトしていることとなり、これにより前記光源から出射された光を前記１Ａ傾斜面で干渉することが抑制され、前記第２面での反射を促すことで光の利用効率を高めることができる。
【００３５】
更に、前記第２面は前記光源側を向き、且つ前記第２面を延長した面が前記法線と交差するように前記第２面が延在しているので、前記光源から出射して前記第２面で反射した光を、前記光源取り付け面に沿った方向に進行させて（前記光源取り付け面に沿った方向の成分を持つ光）を前記射出部から出射させることができる。前記第２面は、鏡面であると好ましいが、粗し面など拡散機能が与えられていても良い。前記第１傾斜面は、光を反射する目的で使用される場合、鏡面であると好ましいが、粗し面など拡散機能が与えられていても良い。配光面の反射方向による配光機能に加えて、拡散機能を持たせることで、特定方向に輝線等が視認しにくく、均一な照度の照明が可能になる。又、第２面は１つでも良いが、スペースの有効利用のためには複数とすることが好ましい。ここで、「前記第２面で反射した光」とは、前記光源から出射して前記照明装置から出射する間に、前記第２面で反射することを意味し、従って前記第１傾斜面と前記第２面の両方で反射する場合、その反射の順序は問わない。
【００３６】
つまり、小型な照明装置であるにもかかわらず、光源から出射した光が直接広い範囲を照明しながら、前記配光面に設けた第２面による反射光が光源面に沿った方向に射出するので、直接光が暗い方向にも明るく照明可能であって、強度分布にバランスが取れた照明とできる。
【００３７】
請求項１４に記載のショーケースは、請求項１〜１０のいずれかに記載の照明装置を、棚板先端部または、先端下部に配置したことを特徴とする。
【００３８】
棚板に並べた商品を効率的に照明すると同時に、アイキャッチ効果の高いショーケースを実現できる。
【発明の効果】
【００３９】
本発明によれば、コンパクトな構成ながら、透光部材を通過する出射光の配光を制御できる照明装置及びそれを用いたショーケースを提供することができる。
【図面の簡単な説明】
【００４０】
【図１】本実施の形態にかかるショーケース１の斜視図である。
【図２】一つの陳列棚４の長手方向直交断面を示している図である。
【図３】第１の実施の形態にかかる照明装置１０単体の断面図である。
【図４】第１の実施の形態にかかる照明装置１０単体の断面において光線経路を加えて示す図である。
【図５】照明装置の端部を分解して示す図である。
【図６】第２の実施の形態にかかる照明装置１０Ａ単体の断面図である。
【図７】第２の実施の形態にかかる照明装置１０Ａ単体の断面において光線経路を加えて示す図である。
【図８】第３の実施の形態にかかる照明装置１０Ｂ単体の断面図である。
【図９】第３の実施の形態にかかる照明装置１０Ｂ単体の断面において光線経路を加えて示す図である。
【図１０】第４の実施の形態にかかる照明装置１０Ｃの斜視図である。
【図１１】図１０の構成を、XI-XI線を通る面で切断して矢印方向に見た図である。
【図１２】第４の実施の形態の変形例にかかる照明装置１０Ｄの斜視図である。
【発明を実施するための形態】
【００４１】
以下に本発明の実施形態を、図面を参照して説明する。また、同一構成部材については同一の符号を用い、詳細な説明は適宜省略する。
【００４２】
（第１の実施の形態）
図１は、本実施の形態にかかるショーケース１の斜視図である。ショーケース１は、床面に設置される基部２と、基部２から上方に向かって延在する背面部３と、背面部３から前方に向かって水平に延在する陳列棚（棚板ともいう）４とからなる。陳列棚４の前方端には、プライス札を取り付けられるよう、アクリル板製のプライスレール５が配置されている。プライスレール５の代わりに、アイキャッチャーを設けても良い。背面部３の上部には、一番上の陳列棚４を覆うようにして、庇６が設けられている。庇６の下面に照明装置１０を設けても良い。陳列棚４の上面には、各種の商品が載置される。
【００４３】
図２は、一つの陳列棚４の長手方向直交断面を示している。図２において、左方が陳列棚４の前方（棚板先端側）に相当し、下方が重力加速度方向下方に相当する。陳列棚４の前端に取り付けられたプライスレール５は、下端がＵ字状に折れ曲がっており、ここに不図示のプライス札を挟み込むことができる。
【００４４】
陳列棚４の下面に、取り付け部材７が設置されている。金属製の取り付け部材７は、不図示のねじ等により陳列棚４の下面に固定される筐体７ａと、筐体７ａの上端及び下端から前方に向かって片持ち状に延在するアーム部７ｂとを有する。取り付け部材７は陳列棚の長手方向と同じ長さを有していてもよく、あるいは、陳列棚４の左右両端を含む複数の箇所のみに設置されてもよい。一対のアーム部７ｂは、中央が互いに対して近接するように曲がっており、曲がった部位で凸部７ｃを形成している。取り付け部材７は、照明装置１０を陳列棚４に取り付ける機能を有する。
【００４５】
図３は、照明装置１０単体の断面図であり、図４は、照明装置１０単体の断面において光線経路を加えて示す図であるが、駆動回路は省略している。陳列棚４の先端又は先端下部に取り付けられる照明装置１０は、フレーム１１と、光源１２と、透光部材としてのカバー部材１３とを有する。フレーム１１は、コーナー部が全てＲ０．２ｍｍ以上の曲面で形成されており、アルミニウムを押し出し成形することで一体的に容易に且つ安価に形成され、同一断面にて紙面垂直方向に細長く延在する構造である。フレーム１１は、陳列棚４の下面と略平行な上板部１１ａおよび下板部１１ｂと、それらに直交する奥板部１１ｃと、奥板部１１ｃに対向する前板部１１ｄとからなるボックス構造１１ｂｘを有している。ボックス構造１１ｂｘ内には、光源１２を駆動するための駆動回路１４が配置されている（図２参照）。上板部１１ａおよび下板部１１ｂは、中央が互いに対して近接するように曲がっており、曲がった部位で凹部１１ｕを、それぞれ形成している。
【００４６】
図２において、プライスレール５を外した状態で、照明装置１０を、陳列棚４の前方から下面に沿って差し入れると、取り付け部材７のアーム部７ｂがボックス構造１１ｂｘにより押し広げられて弾性変形する。更に照明装置１０を押し込むと、アーム部７ｂの変形が戻り、上下の凹部１１ｕに凸部７ｃがそれぞれ係合するので、照明装置１０は取り付け部材７を介して陳列棚４に容易に取り付けることができ，且つ不用意に脱落することが抑制される。その後、別個の配線（不図示）がなされ、光源１２に給電可能となる。照明装置１０の配線（不図示）は、陳列棚の下面、またはショーケース１０の筐体内で、主電源ラインと接続されると好ましい。
【００４７】
照明装置１０のフレーム１１は、ボックス構造１１ｂｘの上板部１１ａを図３，４で左方に延長した延長部１１ｅを設けている。延長部１１ｅの下面が、陳列棚４の下面と略平行な光源取り付け面１１ｆとなっている。延長部１１ｅの両端から下方に伸びて対向する鈎部１１ｇ、１１ｇが設けられており、光源取り付け面１１ｆに、光源１２の基板１２ｂが取り付けられたとき、鈎部１１ｇ、１１ｇは基板１２ｂを両側から保持するようになっている（図では離れて示している）。
【００４８】
光源１２は、図３，４で下方に向いた複数の発光部１２ａと、発光部１２ａを支持するとともに給電する機能を持つ細長い基板１２ｂとからなる。光源１２は、例えば、紙面垂直方向に沿って延在する基板１２ｂ上で間隔をおいて配設する複数の点状光源（ＬＥＤ）を、発光部１２ａとして用いることができる。また、低消費電力で発光強度が高く、白色発光するＬＥＤを用いることが好ましい。そのために、本実施形態では白色ＬＥＤを用いることとした。発光部１２ａを、以下、ＬＥＤチップ１２ａとする。
【００４９】
光源１２は、ここでは白色ＬＥＤであり、複数の青色ＬＥＤと、青色ＬＥＤからの光に励起されて所定波長の励起光を発光する蛍光体（例えば、黄色蛍光体）を組み合わせて白色発光するものである。この場合、黄色蛍光体を単一の板状とする単一の面状光源であっても良い。また、白色ＬＥＤは、赤色ＬＥＤ、青色ＬＥＤ、緑色ＬＥＤを組み合わせた高演色ＬＥＤを用いてもよい。この場合、白色ＬＥＤは、赤色ＬＥＤ、青色ＬＥＤ、緑色ＬＥＤの各チップを、図３，４で水平方向に列状に並べると、後述するプリズムパターンとの相互作用で、色ムラが抑制され適切な照明が行える。高演色ＬＥＤを用いることにより、高い色再現性の必要な用途に好適な照明ユニットを実現することが可能である。また、色温度の異なる２種類のLEDを交互に配置し、各々のLEDの発光強度比を変更することにより、色温度の調整できる照明装置を実現できる。
【００５０】
基板１２ｂは、複数のチップ型のＬＥＤチップ１２ａを所定ピッチ（ここでは１０ｍｍ間隔）で搭載する。このように、基板１２ｂは、長手方向に一体とされるが、複数の基板に分け、それぞれを電気的に接続する構成としてもよい。また、基板１２ｂは、ボックス構造１１ｂｘ内に配置された駆動回路１４と不図示のリード線を介して接続されており、駆動回路１４からＬＥＤチップ１２ａに流れる電流を制御することで、照明装置のオンオフもしくは輝度調整が可能である。
【００５１】
図３，４において、フレーム１１において、前板部１１ｄの光源側面が、光源取り付け面１１ｆに交差する方向に延在する配光面１１ｈとなっている。光源取り付け面１１ｆの左方縁と、配光面１１ｈの下方縁との間が開口部である。配光面１１ｈは、押し出し成形時の加工のままであり、押し出し成形時の加工痕であるヘアラインが若干形成されるが、準鏡面とみなせる。ただし、ショットブラストなどの拡散処理を施しても良い。ＬＥＤチップ１２ａの中心を通る光源取り付け面１１fの法線をＮＬとする。
【００５２】
法線ＮＬに沿ってＬＥＤチップ１２ａから遠ざかるにつれて、法線ＮＬから離れる側にそれぞれ凹状に湾曲して（下方に向かうほど法線ＮＬと平行に近づく、ただし角度が異なる複数平面でも良い）傾斜した５つの第１傾斜面１１ｉと、第１傾斜面１１ｉと交互に並べられた５つの第２面１１ｊとを有する。ここで、図で上方の第１傾斜面１１ｉの下端は、それに隣接する下方の第１傾斜面１１ｉの上端より法線ＮＬから離れた位置にある。第１傾斜面１１ｉと第２面１１ｊとはなめらかな曲面で接続されていると好ましい。ここで、第１傾斜面１１ｉを、光源２から近い順に、１Ａ傾斜面、１Ｂ傾斜面、１Ｃ傾斜面、１Ｄ傾斜面、１Ｅ傾斜面という。
【００５３】
本実施の形態では、各第２面１１ｊは、法線ＮＬに略直交する方向に延在している。すなわち、各第２面１１ｊは、光源取り付け面１１ｆに対して平行である。ここで、第２面１１ｊを、光源２から近い順に、２Ａ面、２Ｂ面、２Ｃ面、２Ｄ面、２Ｅ面という。尚、第１傾斜面１１ｉの総面積は、第２面１１ｊの総面積より大きいと好ましい。
【００５４】
図３，４において、フレーム１１の延長部１１ｅの先端に、紙面垂直方向に延在する丸溝１１ｋが形成されており、また前板部１１ｄの下端にも、紙面垂直方向に延在する丸溝１１ｍが形成されている。断面Ｌ字状のカバー部材１３は、光を透過する樹脂から成形されてなり、その上縁に形成された円筒状の隆起部１３ａを、丸溝１１ｋに係合させ、またカバー部材１３の下縁に形成された円筒状の隆起部１３ｂを、丸溝１１ｍに係合させることで、開口部を覆うようにしてフレーム１１に取り付けられている。尚、照明装置１０の高さは１９ｍｍであり、奥行きは３５ｍｍとなっている。
【００５５】
カバー部材１３は、断面がＬ字状であって、その前側（図３において左側）の面が前方の領域１３ＦＲを構成し、下側（図３において下側）の面が下方側の領域１３ＬＷを構成する。カバー部材１３は、前側の面の内側全面に第１プリズムパターン１３ｃを設け、下側の面の内側全面に第２プリズムパターン１３ｄを設けている。第１プリズムパターン１３ｃは、図３において紙面垂直方向に延在する第１屈折面１３ｃ１と第２屈折面１３ｃ２とを交差させた組み合わせを複数組形成している。より具体的には、第１プリズムパターン１３ｃは、幅が等しい第１屈折面１３ｃ１と第２屈折面１３ｃ２を頂角１００°で挟んでなる二等辺三角形状断面を基礎形状として、ピッチ１ｍｍで周期的に繰り返してなる。
【００５６】
一方、第２プリズムパターン１３ｄも、図３において紙面垂直方向に延在する第１屈折面１３ｄ１と第２屈折面１３ｄ２とを交差させた組み合わせを複数組形成している。但し、図３において左側の第１屈折面１３ｄ１の幅が、第２屈折面１３ｄ２の幅より長くなっている。すなわち、第２プリズムパターン１３ｄは、ここでは底角が６０°と２０°であって第１屈折面１３ｄ１と第２屈折面１３ｄ２を含む三角形状断面を基礎形状として、ピッチ１ｍｍで周期的に繰り返してなる。すなわち、プリズムパターン１３ｃ、１３ｄは、傾きが周期的に変化する屈折面を備える。尚、プリズムパターンの交差部（コーナー）は全てＲ０．２ｍｍの曲面で形成しており、樹脂の押し出し成形により容易に且つ安価に形成できる。
【００５７】
図５において、フレーム１１のサイドカバー２２は、これに設けられたネジ用穴２２ｋ、２２ｍを通して丸溝ｌｌｋ、丸溝ｌｌｍに対してそれぞれネジ固定される。カバー部材１３を係合させるために設けられた丸溝ｌｌｋ、ｌｌｍをそれぞれネジ固定用溝として用いることで、新たにネジ固定用溝部をフレーム１１内に設ける必要がないためフレーム１１内のスペースを効果的に利用できる。また、フレーム１１内部の形状が複雑化することでフレーム１１がコストアップすることが抑制される。なお、丸溝１１ｋおよび丸溝１１ｍの内面には特にネジ溝を設けずセルフタップネジ用としてもよいし、ネジ溝を設けてもよい。またネジ固定は、固定力が足りれば丸溝１１ｋまたは丸溝１１ｍのどちらか片方のみを用いてもよい。さらにサイドカバー２２の固定用ネジ２３ｋ、２３ｍの長さを適当なものに選ぶことで、ネジ固定した後のカバー部材１３のフレーム１１に対する不要な移動をネジで規制することもできる。  
【００５８】
本実施の形態の動作について、図４を参照して説明する。ここで、ＬＥＤチップ１２ａからの光は主たるものを図示しており、実際は図示した以外の光も出射する。駆動回路１４から給電された電力によりＬＥＤチップ１２ａが発光すると、ＬＥＤチップ１２ａから放射状に光が出射される。
【００５９】
ＬＥＤチップ１２ａから配光面１１ｈに向かう光線の一部は、第２面１１ｊ、第１傾斜面１１ｉの順に反射されて、カバー部材１３の前方側（図４で左側）に向かい、カバー部材１３に到達した光線は、第１プリズムパターン１３ｃの屈折面１３ｃ１，１３ｃ２で屈折しながらカバー部材１３を透過し、カバー部材１３の外側面から、外部に照射される（Ｒａｙ１〜Ｒａｙ５）。すなわち、第１プリズムパターン１３ｃが底角の等しい２等辺３角形状の断面をもつことにより、配光面１１ｈから略水平に出射し、カバー部材１３に到達した光線は、上方に大きく曲げられて外部に照射される。従って、図２に示すようにプライスレールの背後から強い照度の照明光が照射されるので、買い物客がプライス札を視認しやすくなる。つまり、照明装置１０を搭載したショーケース１は、棚板先端部が明るく発光するために、買い物客の目を引く効果（アイキャッチ効果）を実現することができる。
【００６０】
一方、ＬＥＤチップ１２ａから法線ＮＬに対して角度付けされて出射された光線の一部は、カバー部材１３の前側の第１プリズムパターン１３ｃに直接入射するが、殆ど第１屈折面１３ｃで下方に向かって屈折されて、外部に出射される（Ｒａｙ６，７）。従って、買い物客の目に直接飛び込む光線の量を減らすことで、ショーケースを見る消費者がまぶしさを感じにくくできる。
【００６１】
更に、ＬＥＤチップ１２ａから出射され、比較的強度が高い法線ＮＬに近い光線の一部は、カバー部材１３の下側の第２プリズムパターン１３ｄに直接入射する。ここで、図３において左側の第１屈折面１３ｄ１の幅が、第２屈折面１３ｄ２の幅より長くなっているので、第１屈折面１３ｄ１に入射する光量が比較的多くなる。これにより、第２プリズムパターン１３ｄへの入射光が屈折されて、カバー部材１３の下方より出射された後、下方の陳列棚（図４で不図示）の奥側に高効率で向かうようになる（Ｒａｙ８〜Ｒａｙ１１）。従って、陳列棚の先端に照明装置１０を設置しても、より陳列棚の奥に陳列された商品まで、明るく照明することができるから、買い物客の購買意欲を喚起できる。このように、照明装置１０の正面だけでなく、斜め上、斜め下方向へも光線を出射させることができるから、陳列棚に陳列された商品を明るく視認することができる。
【００６２】
ここで、カバー部材１３の前側裏面の第１プリズムパターン１３ｃの頂角を変更することにより、照明光の上下への広がり角を調整することができる。頂角は、６０°〜１３０°が望ましい。頂角が小さすぎると、屈折面への入射角が大きくなりすぎて、照明光の取り出し効率が下がる。また、頂角が大きすぎると、照明光を十分に上下に広げることができない。更に、カバー部材１３の下側裏面の第２プリズムパターン１３ｄの頂角、底角を変更することにより、照明光の前後方向の広がりを調整することができる。プリズムの偏心方向を逆（底角の６０°と２０°を入れ替える）にすると、ＬＥＤチップ１２ａから第２プリズムパターン１３ｄに到達した光線は、前側に曲げられ、外部に照射される量が増える。例えば下の陳列棚ほど棚板先端が手前にせせり出ているショーケースでは、照明光は、下側前方にも強く照射される方が望ましい場合もあるので、かかる場合に好適である。ＬＥＤチップ１２ａからカバー部材１３の前側裏面に直接入射するＲａｙ６〜Ｒａｙ７を利用しても、同様の効果を得ることができる。
【００６３】
尚、ＬＥＤチップ１２ａから出射して、最初に第１傾斜面１１ｉに入射した光線は、第１プリズムパターン１３ｃに向かうものと、第２プリズムパターン１３ｄに向かうものがあるが、上述と同様であるので、説明を省略する。
【００６４】
特に、光源として、指向性の強いＬＥＤチップ１２ａを選択することにより、配光面１１ｈの斜面形状及びカバー部材１３裏面のプリズムパターン１３ｃ、１３ｄで、照明装置１０の配光制御を効率的に行うことができる。
【００６５】
カバー部材１３は、拡散特性を持っていてもよい。カバー部材１３の表面を荒らして拡散面としてもよいし、拡散粒子を材料に混ぜ込むことにより内部拡散としてもよい。内部拡散の方が、押し出し成形に対応し易く、また、表面にほこり等が付着しにくいという利点がある。カバー部材１３の出射面又は入射面を拡散面にすることにより、プリズムパターンにより発生する輝度ムラ（グレア、ギラギラ感）を低減することができる。カバー部材１３における拡散度は、完全拡散でなく、拡散角の半値全幅σ＝２°〜１５°が望ましい。拡散角が小さすぎると輝度ムラが大きく眩しさを感じることがある。また、拡散度が大きすぎると、配光面１１ｈ、プリズムパターン１３ｃ、１３ｄによる配光制御の効果が小さくなってしまう。
【００６６】
本実施の形態の照明装置１０を、ショーケース１の陳列棚４に設置することにより、陳列棚４の前方は上下に広く照明光を照射することにより、買い物客の目を引く効果の高いショーケース１とすることができる。また、照明装置１０の前側にプライスレール５を配置した場合、プライスレール５上のプライス札を効果的に後方から照明することができる。陳列棚４上に陳列された商品は、照明装置１０により高効率に照明することができる。
【００６７】
（第２の実施の形態）
図６は、第２の本実施の形態にかかる照明装置１０Ａの断面図である。図７は、照明装置１０Ａ単体の断面において光線経路を加えて示す図である。本実施の形態においては、上述した実施の形態に対して、カバー部材と配光面の形状が異なる。配光面１１ｈは、図６に示すように、ＬＥＤチップ１２ａの中心を通る光源取り付け面１１ｆの法線ＮＬに沿ってＬＥＤチップ１２ａから遠ざかるにつれて、法線ＮＬから離れる側にそれぞれ傾斜した３つの第１傾斜面１１ｉと、第１傾斜面１１ｉと交互に並べられた３つの第２面１１ｊとを有する。第１傾斜面１１ｉの総面積は、第２面１１ｊの総面積より大きい。ここで、図で上方の第１傾斜面１１ｉ（１Ａ傾斜面という）の下端は、それより下方の第１傾斜面１１ｉ（１Ｂ傾斜面という）の上端より法線ＮＬから離れた位置にある。これにより、配光面１１ｈは全体的に法線ＮＬに対して殆ど傾くことなく略平行に延在する。
【００６８】
一方、３つの第２面１１ｊは、それぞれ光源側を向き且つ第２面１１ｊを延長した面が法線ＮＬと交差するように延在している。特に、本実施の形態では、図６に示すように、光源２に最も近い第２面１１ｊ（第２Ａ面という）の法線に対する傾き角をθＡとし、光源２に次に近い第２面１１ｊ（第２Ｂ面という）の法線に対する傾き角をθＢとし、光源２から最も遠い第２面１１ｊ（第２Ｃ面という）の法線に対する傾き角をθＣとしたときに、以下の式が成立する。
θＡ＜θＢ＜θＣ      （１）
【００６９】
一方、カバー部材１３Ａは、その前側の領域の裏面にのみ、上述と同様に頂角１００°、ピッチが１ｍｍの二等辺三角形状断面を基礎形状として繰り返す第１プリズムパターン１３ｃを形成している。カバー部材１３Ａの下方の領域１３ｄ’は平板状である。
【００７０】
本実施の形態の動作について、図７を参照して説明する。ＬＥＤチップ１２ａから配光面１１ｈに向かう光線の一部は、第２面１１ｊで１回反射されて、カバー部材１３Ａの前側（図７で左側）に向かい、その裏面の第１プリズムパターン１３ｃで屈折されて外部に射出される（Ｒａｙ１〜Ｒａｙ３）。従って、図２のプライスレール５の背後から強い照度の照明光が照射されるので、買い物客がプライス札を視認しやすくなる。つまり、照明装置１０Ａを搭載したショーケース１は、棚板先端部が明るく発光するために、買い物客の目を引く効果（アイキャッチ効果）を実現することができる。
【００７１】
一方、ＬＥＤチップ１２ａから法線ＮＬに対して角度付けされて出射された光線の一部は、カバー部材１３Ａの前側の第１プリズムパターン１３ｃに直接入射するが、第１屈折面１３ｃで下方に向かって屈折されて、外部に出射される（Ｒａｙ４）。従って、買い物客の目に直接飛び込む光線の量を減らすことで、ショーケースを見る買い物客がまぶしさを感じにくくできる。
【００７２】
更に、ＬＥＤチップ１２ａから出射され、法線ＮＬ近傍の光線は、カバー部材１３Ａの下方の領域１３ｄ’を通過する。ＬＥＤチップは、一般にチップの射出面の垂線方向に、発光ピークを有し略ランバーシャンに光を照射する光源であるために、本実施の形態のような配置構成では、ＬＥＤチップ１２ａの配置位置よりも上側、つまり照明装置を前方から観察したときに前方上側に射出される光が、極端に少なくなる傾向がある。そこで、カバー部材１３Ａの前側裏面に第１プリズムパターン１３ｃを配置することにより、カバー部材１３Ａの前方の上側からも明るく観察され、買い物客の目を引くことのできる照明装置１０Ａを実現できる。
【００７３】
これに対し、カバー部材１３Ａの下側の領域１３ｄには、プリズムパターンを設けていない。よって、ＬＥＤチップ１２ａから、下方に照射された法線ＮＬに近い光は、カバー部材１３Ａを透過して外部を照射することとなる。このように下側の領域１３ｄにプリズムパターンを設けない場合、ＬＥＤチップ１２ａから射出された指向性の強い光を、直接照明光として下側の陳列棚に陳列された商品に照射することができるため、直下の商品を明るく照明することができる。尚、ＬＥＤチップ１２ａから出射され、第１傾斜面１１ｊで１回反射され、カバー部材１３Ａの下側の領域１３ｄを透過する光線も同様である。ＬＥＤチップ１２ａから直接第１プリズムパターン１３ｃに入射する光線（Ｒａｙ４）も同様の効果を得るようにできる。
【００７４】
カバー部材１３Ａは、上述の実施の形態と同様に、最適な拡散度を有することが望ましい。特に、下側の領域１３ｄにはプリズムパターンを設けないために、ＬＥＤチップ１２ａを離散的に配置する場合、多重影（マルチシャドウ）が発生し、商品の品位を落とすことにつながる恐れがあるが、適切な拡散度を与えることで多重影を抑制できる。
【００７５】
（第３の実施の形態）
図８は、第３の本実施の形態にかかる照明装置１０Ｂの断面図である。図９は、照明装置１０Ｂ単体の断面において光線経路を加えて示す図である。本実施の形態においては、第２の実施の形態に対して、配光面の形状が異なる。より具体的には、フレーム１１の前板部１１ｄが平板状であって、ＬＥＤチップ１２ａから遠ざかるにつれて、法線ＮＬに近づくように傾いている。又、平板１１ｄの光源側面には、反射板１６が配置されている。カバー部材１３Ｂの形状は、第２の実施の形態と同様に、その前側の領域の裏面にのみ、上述と同様に頂角１００°、ピッチが１ｍｍの二等辺三角形状断面を基礎形状として繰り返す第１プリズムパターン１３ｃを形成している。
【００７６】
本実施の形態の動作について、図９を参照して説明する。ＬＥＤチップ１２ａから配光面１１ｈに向かう光線は、反射板１６で反射されて、その一部がカバー部材１３Ｂの前側（図９で左側）に向かい、その裏面の第１プリズムパターン１３ｃで屈折されて外部に射出される（Ｒａｙ１〜Ｒａｙ３）。従って、図２に示すようにプライスレールの背後から強い照度の照明光が照射されるので、買い物客がプライス札を視認しやすくなる。つまり、照明装置１０Ｂを搭載したショーケース１は、棚板先端部が明るく発光するために、買い物客の目を引く効果（アイキャッチ効果）を実現することができる。
【００７７】
一方、ＬＥＤチップ１２ａから出射され、法線ＮＬに近い光線の一部は、カバー部材１３Ｂの前側の第１プリズムパターン１３ｃに直接入射するが、殆ど第１屈折面１３ｃで下方に向かって屈折されて、外部に出射される（Ｒａｙ６）。従って、買い物客の目に直接飛び込む光線の量を減らすことで、ショーケースを見る買い物客がまぶしさを感じにくくできる。
【００７８】
更に、ＬＥＤチップ１２ａから出射され、直接、もしくは反射板１６の下部で反射され手間接的に、カバー部材１３Ｂの下方の領域１３ｄ’に入射する光線は、そのままカバー部材１３Ｂを透過する（Ｒａｙ４，５，Ｒａｙ７〜Ｒａｙ９）。以上の効果も、上述した実施の形態と同様である。
【００７９】
（第４の実施の形態）
図１０は、第４の本実施の形態にかかる照明装置１０Ｃの斜視図である。図１１は、図１０の構成を、XI-XI線を通る面で切断して矢印方向に見た図である。本実施の形態は、図６，７に示す構成に対して、カバー部材１３Ｃの構成が異なっている。より具体的には、カバー部材１３Ｃは、前側の領域１３ｃ’にはプリズムパターンを形成しておらず、すなわち平板状であり、下側の領域の裏面にのみ、第２プリズムパターン１３ｄ”を形成している。但し、第２プリズムパターン１３ｄ”は、照明装置１０Ｃの奥側から前方に（図１１で略紙面垂直方向に）向かう第１屈折面１３ｄ１と第２屈折面１３ｄ２が形成され、頂角９０°程度の１ｍｍピッチの二等辺三角形状断面を基礎形状として、カバー部材１３Ｃの長手方向に沿って周期的に繰り返している。
【００８０】
特に、ＬＥＤチップ１２ａを離散的に、（基板１２ｂとカバー部材１３Ｃ下側面の間隔と同等以上、例えば20ｍｍ）配置した場合、多重影（マルチシャドウ）が生じる可能性が高い。かかる不具合は、上述したようにカバーの拡散度を増大させることで抑制することができるが、その分、照明光の取り出し効率が下がったり、あるいは光が拡散しすぎて最大照度が下がるなどの課題が生じる。これに対し、本実施の形態のように、カバー部材１３Ｃの下側の領域に第２プリズムパターン１３ｄ”を形成すれば、長手方向において高さが周期的に変化する屈折面を有しているから、複数のＬＥＤチップ１２ａの配列方向の断面において、ほぼランダムな光に変換することができるので、取り出し効率の低下や、最大照度の低下を抑えても、マルチシャドウの発生を抑えることができる。但し、カバー部材１３Ｃは、上述した実施の形態と同様に、最適な拡散度を有することが望ましい。
【００８１】
図１２は、第４の本実施の形態の変形例にかかる照明装置１０Ｄの斜視図である。本変形例では、カバー部材１３Ｄの下側の領域に第２プリズムパターン１３ｄ”を形成することに加えて、第１，第２の実施の形態と同様に、カバー部材１３Ｄの前側の領域に第１プリズムパターン１３ｃを形成している。これにより、マルチシャドウの発生を抑えながらも、プライスレールの背後から強い照度の照明光を照射して、買い物客がプライス札を視認しやすくできる。
【００８２】
本発明は、明細書に記載の実施例に限定されるものではなく、他の実施例・変形例を含むことは、本明細書に記載された実施例や思想から本分野の当業者にとって明らかである。
【符号の説明】
【００８３】
１  ショーケース
２  基部
３  背面部
４  陳列棚
５  庇
１０、１０Ａ、１０Ｂ、１０Ｃ、１０Ｄ  照明装置
１１  フレーム
１１ａ  上板部
１１ｂ  下板部
１１ｂｘ  ボックス構造
１１ｃ  奥板部
１１ｄ  前板部
１１ｅ  延長部
１１ｆ  光源取り付け面
１１ｇ  鈎部
１１ｈ  配光面
１１ｉ  第１傾斜面
１１ｊ  第２面
１１ｋ  丸溝
１１ｍ  丸溝
１２  光源
１２ａ  発光部（ＬＥＤチップ）
１２ｂ  基板
１３、１３Ａ，１３Ｂ，１３Ｃ、１３Ｄ  カバー部材
１３ａ  隆起部
１３ｂ  隆起部
１３ｃ  第１プリズムパターン
１３ｃ１  第１屈折面
１３ｃ２  第２屈折面
１３ｄ  第２プリズムパターン
１３ｄ１  第１屈折面
１３ｄ２  第２屈折面
１４  駆動回路
２２  サイドカバー
２２ｋ  ネジ用穴
２２ｍ  ネジ用穴
２３ｋ  ネジ
２４ｍ  ネジ
ＮＬ  法線
【図１】
2014099343.tif 000003
【図２】
2014099343.tif 000004
【図３】
2014099343.tif 000005
【図４】
2014099343.tif 000006
【図５】
2014099343.tif 000007
【図６】
2014099343.tif 000008
【図７】
2014099343.tif 000009
【図８】
2014099343.tif 000010
【図９】
2014099343.tif 000011
【図１０】
2014099343.tif 000012
【図１１】
2014099343.tif 000013
【図１２】
2014099343.tif 000014